(57)【要約】【課題】  従来のオートフォーカスシステム内蔵のテレビカメラシステムでは、一般的にフォーカスデマンドから手を離し、ステアリングを掴むことにより、ドリー操作を行うため、フォーカスデマンドのＡＦスイッチを押しながら、ドリー操作を行うことは極めて困難である。また、ＡＦスイッチを押すことでオートフォーカス機能が動作する場合、ＡＦスイッチを押しながらフォーカスデマンドに設けられた他のスイッチを押すことは困難であり、オートフォーカス動作を一旦停止させなければならない。【解決手段】  フォーカスデマンドとズームデマンドの双方にＡＦスイッチを設ける。また、双方のＡＦスイッチの状態により、異なる機能を起動させる。【選択図】  図１
2011078044.tif 000002
【特許請求の範囲】
【請求項１】
フォーカス調整及びズーム調整を行う可動光学部材と、前記可動光学部材を駆動するフォーカス駆動手段及びズーム駆動手段と、前記フォーカス駆動手段にフォーカス指令信号を与える指令装置と、前記ズーム駆動手段にズーム指令信号を与える指令装置と、撮影画像の焦点検出手段と、前記焦点検出手段からの合焦情報よりフォーカス指令信号を作り出し、前記フォーカス駆動手段に与え、前記可動光学部材を駆動しフォーカスを合焦状態とするオートフォーカス機能を有する装置において
前記フォーカス指令装置に具備された第１の入力手段と前記ズーム指令装置に具備された第２の入力手段を有し、前記第１の入力手段、又は前記第２の入力手段のうち、どちらか片方から入力された時は第１のモードを実行し、前記第１の入力手段と前記第２の入力手段の双方から入力され時は第２のモードを実行することを特徴とする撮像装置。
【請求項２】
前記第１のモードは、前記オートフォーカス機能を有効にすることを特徴とする請求項１に記載の撮像装置。
【請求項３】
前記第２のモードは、前記可動光学部材を介して撮影画像を取得するカメラ装置と、カメラの撮像素子で得られた撮影画像を表示する表示手段と、該表示手段に前記オートフォーカス用焦点検出手段による焦点検出が可能な検出範囲を合成表示する合成表示処理手段を有し、前記検出範囲の表示／非表示の状態を変更させることを特徴とする請求項１及び請求項２に記載の撮像装置。
【請求項４】
前記第２のモードは、前記オートフォーカス用焦点検出手段による前記フォーカス光学系の駆動を常時行う設定に変更し、その後第１の入力手段と第２の入力手段双方が入力されない状態に移行しても前記の常時オートフォーカス動作が継続されるモードであることを特徴とする請求項１及び請求項２に記載の撮像装置。
【請求項５】
前記第２のモードにより常時オートフォーカス動作が継続された状態の時、前記第１の入力手段、又は前記第２の入力手段より入力されると、前記の常時オートフォーカス動作が継続されるモードを元のモードに戻すことを特徴とする請求項１及び請求項２及び請求項４に記載の撮像装置。
【請求項６】
前記撮像装置は、前記鏡胴の光学系を介して撮影画像を取得するカメラ装置と、カメラの撮像素子で得られた撮影画像を表示する表示手段と、該表示手段に前記常時オートフォーカス動作の実行有無の状態を合成表示する合成表示処理手段を有することを特徴とする請求項１及び請求項２及び請求項４及び請求項５に記載の撮像装置。
【請求項７】
前記第２のモードは、前記オートフォーカス用焦点検出手段による前記フォーカス光学系の駆動で前記フォーカス光学系の移動速度を第１のモードとは異ならせることを特徴とする請求項１及び請求項２に記載の撮像装置。
【請求項８】
前記第２のモードにおける前記フォーカス光学系の移動速度を設定できる設定手段を有することを特徴とする請求項１及び請求項２及び請求項７に記載の撮像装置。
【請求項９】
前記第２のモードを選択出来る選択手段を有することを特徴とする請求項１〜８記載の撮像装置。
【発明の詳細な説明】
【技術分野】
【０００１】
本発明は、オートフォーカス制御による合焦動作可能な放送用テレビレンズ、又はビデオレンズなどのオートフォーカスシステム起動手段に関するものである。
【背景技術】
【０００２】
図１０のような、従来のオートフォーカスシステムが内蔵されたテレビカメラシステムは、撮像装置であるカメラ４０１が撮影レンズ４０２と接続され、撮影レンズ遠隔制御装置であるフォーカスデマンド４０３、ズームデマンド４０４に接続され構成されている。更にフォーカスデマンド４０３には図１１に示すように、オートフォーカスを起動させるＡＦスイッチ１６が設けられている。その他にも、仕様に応じて、オートフォーカスの対象範囲を撮影画像表示部（以下ビューファーとする）に表示するスイッチ、オートフォーカスによるフォーカスレンズの移動速度を調節するツマミ、オートフォーカスのモードを切り換えるスイッチ等のオートフォーカスシステムに関するスイッチがフォーカスデマンド４０３に設けられている。尚、特許文献１には、オートフォーカスの対象範囲を変更する手段に関する例が記載されている。
【０００３】
また、テレビカメラシステム全体は、パン、チルト操作が可能なヘッド４０５に取り付けられ、更にヘッド４０５は、移動可能であり、且つ上下方向に調整可能なペデスタルドリー４０６に取り付けられている。
【０００４】
カメラマン等の操作者は、フォーカスデマンド４０３及びズームデマンド４０４を操作する事で、撮影レンズ４０２としてのテレビレンズのズーミング、フォーカシングを行い、また、テレビカメラシステムを、パン、チルト操作し、更にペデスタルドリー４０６を動かす（以下ドリー操作とする）ことで状況に応じた画面作りを行う。
【先行技術文献】
【特許文献】
【０００５】
【特許文献１】特開２００６−１３９１１５号公報
【発明の概要】
【発明が解決しようとする課題】
【０００６】
上述した従来のオートフォーカスシステム内蔵のテレビカメラシステムでは、ズームデマンド４０４とステアリング４０７を握ることにより、ドリー操作を行う。そのためフォーカスデマンド４０３からは手が離れてしまい、フォーカスデマンド４０３に設けられているＡＦスイッチ１６を押しながら、ドリー操作を行うことは極めて困難である。また、ＡＦスイッチ１６を押すことで、オートフォーカスシステムを動作させる場合、ＡＦスイッチ１６を押しながらでは、従来技術のようなフォーカスデマンド４０３に設けられた他のスイッチを押すことは困難であり、オートフォーカス動作を一旦停止させなければならない。
【０００７】
そこで、本発明の第一の例示的な目的は、ＡＦスイッチを押しながら、ドリー操作が可能であるような装置の提供をすることにある。また、本発明の第二の例示的な目的は、ＡＦスイッチを押しながら、他の機能を発動させることが可能な装置の提供をすることにある。
【課題を解決するための手段】
【０００８】
上記目的を達成するために、本発明の請求項１及び請求項２に係る撮像装置は、フォーカスデマンドとズームデマンドの双方にＡＦスイッチを具備し、どちらか一方が入力された時にはオートフォーカス機能動作処理が行われ、双方のＡＦスイッチが入力された時には異なる機能が発動することを特徴とする。
【発明の効果】
【０００９】
本発明によれば、ズームデマンドのＡＦスイッチを押しながら、ドリー操作を行うことが可能であり、また、ＡＦスイッチの操作条件により、発動する機能が変化することで、ＡＦスイッチを押しながら、その他の機能を発動することが可能である。
【図面の簡単な説明】
【００１０】
【図１】ブロック回路構成図
【図２】ズームデマンド外観図
【図３】実施例１のタイミングチャート
【図４】実施例１のフローチャート
【図５】実施例２のタイミングチャート
【図６】実施例２のフローチャート
【図７】実施例２のフローチャート
【図８】実施例３のタイミングチャート
【図９】実施例３のフローチャート
【図１０】従来のテレビカメラシステム
【図１１】従来のフォーカスデマンド
【発明を実施するための形態】
【００１１】
以下に、本発明の実施の形態を添付の図面に基づいて詳細に説明する。
【実施例１】
【００１２】
図１は実施例１のブロック回路構成図である。
【００１３】
レンズ４０２には、フォーカスレンズ群３とズームレンズ群７が内蔵されている。レンズ制御部１にはフォーカスレンズ群３の位置を検出するフォーカス位置検出手段４の出力と、ズームレンズ群７の位置を検出するズーム位置検出手段８の出力と、焦点検出演算部１１を介して、焦点検出部１２の出力と、ズーム・フォーカス操作回路２を介して、フォーカスデマンド４０３、ズームデマンド４０８の出力が接続されている。
【００１４】
一方、レンズ制御部１の出力はフォーカスドライバ６、ズームドライバ１０、カメラ制御部１３に接続されている。
【００１５】
レンズ制御部１では、ズーム・フォーカス操作回路２を経由したフォーカスデマンド４０３及びズームデマンド４０８の操作量に応じた駆動信号をフォーカスドライバ６及びズームドライバ１０に出力する。この駆動信号により、フォーカスドライバ６はフォーカスモータ５を介してフォーカスレンズ群３を駆動させることで、フォーカス調整を可能としている。また、ズームドライバ１０はズームモータ９を介してズームレンズ群７を駆動させることで変倍を可能にしている。更に、レンズ制御部１はカメラ制御部１３を介してレンズ制御部１の情報を出力することで、ビューファー１４に撮影画像、撮影状態等の情報を表示させる。
【００１６】
また、フォーカスデマンド４０３にはオートフォーカスシステムを作動させるＡＦスイッチ１６が具備されており、ＡＦスイッチ１６の出力はフォーカス制御部１５を介して、ズーム・フォーカス操作回路２に接続されている。ズームデマンド４０８にもフォーカスデマンド４０３と同様のＡＦスイッチ１８が具備されており、ＡＦスイッチ１８の出力はズーム制御部１７を介して、ズーム・フォーカス操作回路２に接続されている。
【００１７】
ＡＦスイッチ１６又はＡＦスイッチ１８のどちらか一方のＡＦスイッチがＯＮになると、レンズ制御部１は、焦点検出演算部１１を介して焦点検出部１２から出力された合焦位置からのズレ量分だけ、フォーカスレンズ群３を移動させるような制御信号をフォーカスドライバ６に出力する。フォーカスドライバ６は、この制御信号に従ってフォーカスモータ５を駆動させ、フォーカスレンズ群３を移動させることで、合焦処理を行う（以下ＡＦ動作とする）。
【００１８】
更に、ＡＦスイッチ１６及びＡＦスイッチ１８の双方がＯＮ状態であると、レンズ制御部１を介してカメラ制御部１３は撮影画像信号とＡＦ枠信号を合成しビューファー１４に出力することで、ビューファー１４にＡＦ枠が表示される。
【００１９】
図２は実施例１のズームデマンドの外観図である。
【００２０】
以下、実施例１のＡＦスイッチによる処理を図３のタイミングチャート及び図４のフローチャートを用いて説明する。
【００２１】
デマンド１、デマンド２については、フォーカスデマンド及びズームデマンドのどちらが１で、どちらが２でも構わない。
【００２２】
まず図３を用いて説明する。
【００２３】
（ａ）：Ｔ１にてデマンド１側ＡＦスイッチがＯＮされることで、ＡＦ動作処理を行う。Ｔ２にてデマンド２側ＡＦスイッチがＯＮされることで、ビューファーにＡＦ枠を表示する処理を行う。Ｔ３にてデマンド２側ＡＦスイッチがＯＦＦされることでＡＦ枠の表示消去処理を行う。Ｔ４にてデマンド１側ＡＦスイッチがＯＦＦされることでＡＦ停止処理を行う。
【００２４】
（ｂ）：Ｔ１にてデマンド１側ＡＦスイッチがＯＮされることで、ＡＦ動作処理を行う。Ｔ２にてデマンド２側ＡＦスイッチがＯＮされることで、ビューファーにＡＦ枠を表示する処理を行う。Ｔ３にてデマンド１側ＡＦスイッチがＯＦＦされることでＡＦ枠の表示消去処理を行う。Ｔ４にてデマンド２側ＡＦスイッチがＯＦＦされることでＡＦ停止処理を行う。
【００２５】
次に図４を用いて説明する。
【００２６】
ＳＴＥＰ１０２ではデマンド１及びデマンド２のＡＦスイッチによる信号を取り込む。ＳＴＥＰ１０３ではＡＦの状態が停止状態であるか否かを判断し、停止状態であれば、ＳＴＥＰ１０４に移行する。動作状態であればＳＴＥＰ１０７に移行する。（以下ＡＦ＿ＳＴＡＴＥ：ＯＮでＡＦ動作状態、ＯＦＦでＡＦ停止状態、ＳＰＣＬでＡＦ動作状態且つＡＦ枠表示状態とする）
ＳＴＥＰ１０４ではデマンド１又はデマンド２のどちらか一方のＡＦスイッチをＯＮにするか否かを判断し、ＯＮにすればＳＴＥＰ１０５に移行する。ＯＮにしなければＳＴＥＰ１１７に移行する。ＳＴＥＰ１０５ではＡＦ動作処理を行い、ＳＴＥＰ１０６に移行する。ＳＴＥＰ１０６ではＡＦ＿ＳＴＡＴＥをＯＮにして、ＳＴＥＰ１１７に移行する。
【００２７】
ＳＴＥＰ１０７ではＡＦ＿ＳＴＡＴＥがＳＰＣＬか否かを判断する。ＳＰＣＬであればＳＴＥＰ１１４に移行する。ＳＰＣＬでなければＳＴＥＰ１０８に移行する。ＳＴＥＰ１０８では、ＯＦＦであるデマンドのＡＦスイッチをＯＮにするか否かを判断し、ＯＮにすればＳＴＥＰ１０９に移行する。ＯＮにしなければＳＴＥＰ１１１に移行する。ＳＴＥＰ１０９ではビューファーにＡＦ枠を表示する処理を行い、ＳＴＥＰ１１０に移行する。ＳＴＥＰ１１０ではＡＦ＿ＳＴＡＴＥをＳＰＣＬにしてＳＴＥＰ１１７に移行する。
【００２８】
ＳＴＥＰ１１１ではＯＮであるデマンドのＡＦスイッチをＯＦＦにするか否かを判断する。ＯＦＦにすればＳＴＥＰ１１２に移行する。ＯＦＦにしなければＳＴＥＰ１１７に移行する。ＳＴＥＰ１１２ではＡＦ停止処理を行い、ＳＴＥＰ１１３に移行する。ＳＴＥＰ１１３ではＡＦ＿ＳＴＡＴＥをＯＦＦにしてＳＴＥＰ１１７に移行する。
【００２９】
ＳＴＥＰ１１４ではデマンド１又はデマンド２のどちらか一方のＡＦスイッチをＯＦＦにするか否かを判断する。ＯＦＦにすればＳＴＥＰ１１５に移行する。ＯＦＦにしなければ、ＳＴＥＰ１１７に移行する。ＳＴＥＰ１１５ではビューファーに表示されているＡＦ枠の消去処理を行いＳＴＥＰ１１６に移行する。ＳＴＥＰ１１６ではＡＦ＿ＳＴＡＴＥをＯＮにしてＳＴＥＰ１１７に移行する。
【００３０】
以上、本実施例では、ズームデマンドのＡＦスイッチを押しながら、ドリー操作が可能であり、また、ＡＦ枠の表示切り換えをフォーカスデマンド及びズームデマンドに設けられたＡＦスイッチのみで行うことが可能である。
【００３１】
また、本実施例で用いられたスイッチは、押されている間のみＯＮ状態になるモーメンタリースイッチ、一回押すことでＯＮになり、２回押すことでＯＦＦになるオルタネイトスイッチのどちらのスイッチ形態でもよい。
【００３２】
また、双方のデマンドのＡＦスイッチがＯＮ状態である時のみ、ビューファーにＡＦ枠を表示したが、常にビューファーにＡＦ枠を表示した状態で、双方のデマンドのＡＦスイッチがＯＮ状態である時のみ、ビューファー上のＡＦ枠を消去してもよい。
【００３３】
また、常にビューファーにＡＦ枠を表示するか非表示にするかの設定手段をレンズ、カメラ、フォーカスデマンド、ズームデマンド等に設けて、双方のデマンドのＡＦスイッチがＯＮ状態である時のみ、設定とは逆の状態になるようにしてもよい。
【実施例２】
【００３４】
図１のブロック回路図の構成を持つオートフォーカスシステムに適用した実施例に基づき説明する。
【００３５】
構成は実施例１に加えて、レンズ制御部１内に、ＡＦスイッチ１６及びＡＦスイッチ１８をＯＮにしている時のみＡＦ動作を行うモード（以下ＰＡＲＴ  ＴＩＭＥモードとする）と、ＡＦスイッチ１６及びＡＦスイッチ１８がＯＦＦにされてもＡＦ動作を継続するモード（以下ＦＵＬＬ  ＴＩＭＥモードとする）の切り換えを行う、オートフォーカスモード切換部が加えられている。
【００３６】
本実施例の撮像装置を起動すると、オートフォーカスモードはＰＡＲＴ  ＴＩＭＥから始まる。双方のＡＦスイッチがＯＮにされることで、オートフォーカスモード切換部により、オートフォーカスモードがＦＵＬＬ  ＴＩＭＥに切り換る。
【００３７】
また、今回用いられるＡＦスイッチの形態は押している時のみＯＮであり、離すとＯＦＦになるモーメンタリースイッチである。
【００３８】
その他の構成については実施例１と同様であるため、説明は省略し、図５のタイミングチャートと、図６及び図７のフローチャートを用いて、ＡＦスイッチにおける処理について説明する。
【００３９】
デマンド１、デマンド２については、フォーカスデマンド及びズームデマンドのどちらが１で、どちらが２でも構わない。
【００４０】
まず、図５を用いて説明する。
【００４１】
（ａ）：Ｔ１にてデマンド１側ＡＦスイッチがＯＮされることで、ＡＦ動作処理を行う。Ｔ２にてデマンド２側ＡＦスイッチがＯＮされることで、オートフォーカスモードをＦＵＬＬ  ＴＩＭＥに切り換える処理を行う。Ｔ３にてデマンド２側ＡＦスイッチがＯＦＦされる。Ｔ４にてデマンド１側ＡＦスイッチがＯＦＦされる。Ｔ５にてデマンド２側ＡＦスイッチがＯＮされることでオートフォーカスモードをＰＡＲＴ  ＴＩＭＥに切り換える処理を行う。Ｔ６でデマンド２側ＡＦスイッチがＯＦＦされることでＡＦ停止処理を行う。
【００４２】
（ｂ）：Ｔ１にてデマンド１側ＡＦスイッチがＯＮされることで、ＡＦ動作処理を行う。Ｔ２にてデマンド２側ＡＦスイッチがＯＮされることで、オートフォーカスモードをＦＵＬＬ  ＴＩＭＥに切り換える処理を行う。Ｔ３にてデマンド１側ＡＦスイッチがＯＦＦされる。Ｔ４にてデマンド２側ＡＦスイッチがＯＦＦされる。Ｔ５にてデマンド１側ＡＦスイッチがＯＮされることでオートフォーカスモードをＰＡＲＴ  ＴＩＭＥに切り換える処理を行う。Ｔ６でデマンド１側ＡＦスイッチがＯＦＦされることでＡＦ停止処理を行う。
【００４３】
次に図６を用いて説明する。
【００４４】
ＳＴＥＰ２０２ではオートフォーカスモードがＰＡＲＴ  ＴＩＭＥであるか否かを判断する。ＰＡＲＴ  ＴＩＭＥであればＳＴＥＰ２０３に移行する。ＦＵＬＬ  ＴＩＭＥであれば、（Ａ）に移行する。ＳＴＥＰ２０３ではデマンド１及びデマンド２のＡＦスイッチによる信号を取り込み、ＳＴＥＰ２０４に移行する。ＳＴＥＰ２０４ではＡＦの状態が停止状態であるか否かを判断し、停止状態であれば、ＳＴＥＰ２０５に移行する。動作状態であればＳＴＥＰ２０８に移行する。（以下ＡＦ＿ＳＴＡＴＥ：ＯＮでＡＦ動作状態、ＯＦＦでＡＦ停止状態とする）ＳＴＥＰ２０５ではデマンド１又はデマンド２のどちらか一方のＡＦスイッチをＯＮにするか否かを判断し、ＯＮにすればＳＴＥＰ２０６に移行する。ＯＮにしなければＳＴＥＰ２２３に移行する。ＳＴＥＰ２０６ではＡＦ動作処理を行い、ＳＴＥＰ２０７に移行する。ＳＴＥＰ２０７ではＡＦ＿ＳＴＡＴＥをＯＮにして、ＳＴＥＰ２２３に移行する。
【００４５】
ＳＴＥＰ２０８ではＯＦＦであるデマンドのＡＦスイッチをＯＮするか否かを判断し、ＯＮにするならばＳＴＥＰ２０９に移行する。ＯＮにしなければ、ＳＴＥＰ２１０に移行する。ＳＴＥＰ２０９ではオートフォーカスモードをＦＵＬＬ  ＴＩＭＥに切り換え、ＳＴＥＰ２２３に移行する。
【００４６】
ＳＴＥＰ２１０ではＯＮであるデマンドのＡＦスイッチをＯＦＦにするか否かを判断する。ＯＦＦにすれば、ＳＴＥＰ２１１に移行する。ＯＦＦにしなければ、ＳＴＥＰ２２３に移行する。ＳＴＥＰ２１１ではＡＦ停止処理を行い、ＳＴＥＰ２１２に移行する。ＳＴＥＰ２１２ではＡＦ＿ＳＴＡＴＥをＯＦＦにしてＳＴＥＰ２２３に移行する。
【００４７】
図７を用いて、（Ａ）以降のフローについて説明する。ＳＴＥＰ２１３ではデマンド１及びデマンド２のＡＦスイッチによる信号を取り込み、ＳＴＥＰ２１４に移行する。ＳＴＥＰ２１４ではＡＦスイッチの状態が双方ともＯＮであるか、片方だけがＯＮであるか、双方ともＯＦＦであるかを判断する。双方ともＯＮ状態であれば、ＳＴＥＰ２１５に移行する。片方だけがＯＮ状態であればＳＴＥＰ２１７に移行する。双方ともＯＦＦ状態であればＳＴＥＰ２２１に移行する（以下ＳＷ＿ＳＴＡＴＥ：ＯＮ−ＯＮで双方ＯＮ状態、ＯＮ−ＯＦＦで片方のみＯＮ状態、ＯＦＦ−ＯＦＦで双方ＯＦＦ状態とする）
ＳＴＥＰ２１５ではデマンド１又はデマンド２のどちらか一方のＡＦスイッチをＯＦＦにするか否かを判断する。ＯＦＦにするならばＳＴＥＰ２１６に移行する。ＯＦＦにしなければＳＴＥＰ２２３に移行する。ＳＴＥＰ２１６ではＳＷ＿ＳＴＡＴＥをＯＮ−ＯＦＦにしてＳＴＥＰ２２３に移行する。
【００４８】
ＳＴＥＰ２１７ではＯＮであるデマンドのＡＦスイッチをＯＦＦにするか否かを判断し、ＯＦＦにするならばＳＴＥＰ２１８に移行する。ＯＦＦにしなければＳＴＥＰ２１９に移行する。ＳＴＥＰ２１８ではＳＷ＿ＳＴＡＴＥをＯＦＦ−ＯＦＦにしてＳＴＥＰ２２３に移行する。ＳＴＥＰ２１９ではＯＦＦであるデマンドのＡＦスイッチをＯＮにするか否かを判断し、ＯＮにするならばＳＴＥＰ２２０に移行する。ＯＮにしなければＳＴＥＰ２２３に移行する。ＳＴＥＰ２２０ではＳＷ＿ＳＴＡＴＥをＯＮ−ＯＮにしてＳＴＥＰ２２３に移行する。
【００４９】
ＳＴＥＰ２２１ではデマンド１又はデマンド２のどちらか一方のＡＦスイッチをＯＮにするか否かを判断し、ＯＮにすればＳＴＥＰ２２２に移行する。ＯＮにしなければＳＴＥＰ２２３に移行する。ＳＴＥＰ２２２ではオートフォーカスモードをＰＡＲＴ  ＴＩＭＥに切り換える処理を行い、ＳＴＥＰ２２３に移行する。
【００５０】
以上、本実施例では、ＰＡＲＴ  ＴＩＭＥとＦＵＬＬ  ＴＩＭＥの切り換えをフォーカスデマンド及びズームデマンドに設けられたＡＦスイッチのみで行うことが可能である。
【００５１】
また、現在のオートフォーカスモードが視認可能な表示部を、レンズ、カメラ、フォーカスデマンド、ズームデマンド等に設けてもよい。
【実施例３】
【００５２】
図１のブロック回路図の構成を持つオートフォーカスシステムに適用した実施例に基づき説明する。
【００５３】
構成は実施例１に加えてレンズ制御部１内に、ＡＦ動作時のフォーカスレンズ移動速度の切り換えを行う、移動速度切換部が加えられている。
【００５４】
双方のＡＦスイッチがＯＮ状態であると、移動速度切換部を介してフォーカスドライバ６に信号を出力することで、フォーカスレンズ群３が標準に設定されている速度とは異なる速度（以下特殊速度とする）にて移動する。
【００５５】
その他の構成については実施例１と同様であるため、説明は省略し、図８のタイミングチャートと、図９のフローチャートを用いて、ＡＦスイッチにおける処理について説明する。
【００５６】
デマンド１、デマンド２については、フォーカスデマンド及びズームデマンドのどちらが１で、どちらが２でも構わない。
【００５７】
まず、図８を用いて説明する。
【００５８】
（ａ）：Ｔ１にてデマンド１側ＡＦスイッチがＯＮされることで、ＡＦ動作処理を行う。Ｔ２にてデマンド２側ＡＦスイッチがＯＮされることで、特殊速度によるＡＦ動作処理を行う。Ｔ３にてデマンド２側ＡＦスイッチがＯＦＦされることで特殊速度ＡＦ動作の停止処理を行う。Ｔ４にてデマンド１側ＡＦスイッチがＯＦＦされることでＡＦ停止処理を行う。
【００５９】
（ｂ）：Ｔ１にてデマンド１側ＡＦスイッチがＯＮされることで、ＡＦ動作処理を行う。Ｔ２にてデマンド２側ＡＦスイッチがＯＮされることで、特殊速度によるＡＦ動作処理を行う。Ｔ３にてデマンド１側ＡＦスイッチがＯＦＦされることで、特殊速度によるＡＦ動作の停止処理を行う。Ｔ４にてデマンド２側ＡＦスイッチがＯＦＦされることでＡＦ停止処理を行う。
【００６０】
次に、図９のフローチャートについて説明する。
【００６１】
ＳＴＥＰ３０２ではデマンド１及びデマンド２のＡＦスイッチによる信号を取り込む。ＳＴＥＰ３０３ではＡＦの状態が動作状態であるか、停止状態であるか、特殊速度による動作状態であるかを判断し、停止状態であればＳＴＥＰ３０４に移行する。動作状態であればＳＴＥＰ３０７に移行する。特殊速度による動作状態であればＳＴＥＰ３１３に移行する。（以下ＡＦ＿ＳＴＡＴＥ：ＯＮでＡＦ動作状態、ＯＦＦでＡＦ停止状態、ＳＰＣＬで特殊速度によるＡＦ動作状態とする）
ＳＴＥＰ３０４ではデマンド１又はデマンド２のどちらか一方のＡＦスイッチをＯＮにするか否かを判断し、ＯＮにすればＳＴＥＰ３０５に移行する。ＯＮにしなければＳＴＥＰ３１６に移行する。ＳＴＥＰ３０５ではＡＦ動作処理を行い、ＳＴＥＰ３０６に移行する。ＳＴＥＰ３０６ではＡＦ＿ＳＴＡＴＥをＯＮにして、ＳＴＥＰ３１６に移行する。
【００６２】
ＳＴＥＰ３０７では、ＯＦＦであるデマンドのＡＦスイッチをＯＮにするか否かを判断し、ＯＮにすればＳＴＥＰ３０８に移行する。ＯＮにしなければＳＴＥＰ３１０に移行する。ＳＴＥＰ３０８では特殊速度によるＡＦ動作処理を行い、ＳＴＥＰ３０９に移行する。ＳＴＥＰ３０９ではＡＦ＿ＳＴＡＴＥをＳＰＣＬにしてＳＴＥＰ３１６に移行する。
【００６３】
ＳＴＥＰ３１０ではＯＮであるデマンドのＡＦスイッチをＯＦＦにするか否かを判断する。ＯＦＦにすればＳＴＥＰ３１１に移行する。ＯＦＦにしなければＳＴＥＰ３１６に移行する。ＳＴＥＰ３１１ではＡＦ停止処理を行い、ＳＴＥＰ３１２に移行する。ＳＴＥＰ３１２ではＡＦ＿ＳＴＡＴＥをＯＦＦにしてＳＴＥＰ３１６に移行する。
【００６４】
ＳＴＥＰ３１３ではデマンド１又はデマンド２のどちらか一方のＡＦスイッチをＯＦＦにするか否かを判断する。ＯＦＦにすればＳＴＥＰ３１４に移行する。ＯＦＦにしなければ、ＳＴＥＰ３１６に移行する。ＳＴＥＰ３１４では特殊速度によるＡＦ動作の停止処理行いＳＴＥＰ３１５に移行する。ＳＴＥＰ３１５ではＡＦ＿ＳＴＡＴＥをＯＮにしてＳＴＥＰ３１６に移行する。
【００６５】
以上、本実施例によれば、フォーカスデマンド及びズームデマンドに設けられたＡＦスイッチのみでＡＦ動作時のフォーカスレンズ速度を変更することが可能である。
【００６６】
また、本実施例で用いられたスイッチは、押されている間のみＯＮ状態になるモーメンタリースイッチ、一回押すことでＯＮになり、２回押すことでＯＦＦになるオルタネイトスイッチのどちらのスイッチ形態でもよい。
【００６７】
また、本実施例の特殊速度は予め設定されていたが、特殊速度の設定手段を、レンズ、カメラ、フォーカスデマンド、ズームデマンド等に設けられていてもよい。
【００６８】
以上、上記３つの実施例を使って説明したが、ズームデマンド、フォーカスデマンド双方のＡＦスイッチをＯＮにすることで発生する機能はこれらの実施例に限らず、オートフォーカス機能に関わる全ての機能において可能である。
【００６９】
また、双方のＡＦスイッチをＯＮにすることで発生する機能を選択出来る選択手段をレンズ、カメラ、ズームデマンド、フォーカスデマンド等に設けてもよい。
【符号の説明】
【００７０】
１  レンズ制御部
２  ズーム・フォーカス操作回路
３  フォーカスレンズ群
６  フォーカスドライバ
７  ズームレンズ群
１０  ズームドライバ
１２  焦点検出部
１３  カメラ制御部
１４  ビューファー
１６  フォーカスデマンド側ＡＦスイッチ
１８  ズームデマンド側ＡＦスイッチ
４０２  レンズ
４０３  フォーカスデマンド
４０８  ズームデマンド
【図１】
2011078044.tif 000003
【図２】
2011078044.tif 000004
【図３】
2011078044.tif 000005
【図４】
2011078044.tif 000006
【図５】
2011078044.tif 000007
【図６】
2011078044.tif 000008
【図７】
2011078044.tif 000009
【図８】
2011078044.tif 000010
【図９】
2011078044.tif 000011
【図１０】
2011078044.tif 000012
【図１１】
2011078044.tif 000013